(57)【要約】【課題】  撤去後のビス跡の穴埋め補修または、建具の取替えをなくすために、挟み込み式の部材を使用することで、ビスにより建具に穴あけすることなく設置することを可能とした、ドアクローザを提供する。【解決手段】  ドア本体上部にドアクローザ取付け用として、引掛け式のドアクローザ本体取付け部材を設け、ドアの上枠にブラケット取付け用として、挟み込み式のブラケット取付け部材を設ける。取付け部材の固定のため、ドアクローザ本体取付け部材とブラケット取付け部材には固定ボルトを設け、それぞれを締め付けることによりドア本体およびドア上枠に定着する。  以上のように取付けに際して、建具の穴あけを必要としない固定ボルトにより設置できることを特徴とするドアクローザ。【選択図】図１
2010185267.tif 000002
【特許請求の範囲】
【請求項１】
ドア本体上部にドアクローザ取付け用として、引掛け式のドアクローザ本体取付け部材を設け、ドアの上枠にブラケット取付け用として、挟み込み式のブラケット取付け部材を設けたことを特徴とする、ドアクローザ。
【請求項２】
前記のドアクローザ本体取付け部材に固定ボルトを設け、ブラケット取付け部材に固定ボルトを設け、それぞれを締め付けることによりドア本体およびドア上枠に定着する。以上のように取付けに際して、建具への穴あけを必要としない固定ボルトにより設置できることを特徴とする、請求項１記載のドアクローザ。
【発明の詳細な説明】
【技術分野】
【０００１】  本発明は、撤去後のビス跡の穴埋め補修または、建具の取替えをなくすために、挟み込み式の部材を使用することで、ビスにより建具に穴あけすることなく設置することを可能とした、ドアクローザに関するものである。
【背景技術】
【０００２】  従来のドアクローザは、設置対象となるドア本体にドアクローザ本体を直接または、ドアクローザ本体取付け部材をビスにより定着し、ドア上枠にはブラケットを同様にビスにより定着していた。
【発明の開示】
【発明が解決しようとする課題】
【０００３】  そのために、次のような問題点があった。
（イ）ビスによりドアクローザを設置することで、建具のドア本体およびドア上枠に傷が      生じる。
（ロ）建具のドアの厚み、材質や強度により、ビス固定の出来ない仕様のドアには設置が      できない。
（ハ）ドアクローザ撤去後に、ビス跡の穴埋め補修または、建具の取替えが必要となる。
このような点から、現状復帰を条件に明け渡しを必要とする賃貸物件のドアや、設置するドアの仕様により、設置可能なドアが限定されるなど不都合が生じていた。
本発明は、これらの問題点を解決するためになされたものである。
【課題を解決するための手段】
【０００４】  ドア本体上部にドアクローザ取付け用として、引掛け式のドアクローザ本体取付け部材を設け、ドアの上枠にブラケット取付け用として、挟み込み式のブラケット取付け部材を設ける。取付け部材の固定のため、ドアクローザ本体取付け部材とブラケット取付け部材には固定ボルトを設け、それぞれを締め付けることによりドア本体およびドア上枠に定着する。
以上のように取付けに際して、建具の穴あけを必要としない固定ボルトにより設置できることを特徴とするドアクローザ。
【発明の効果】
【０００５】  引掛け式および挟み込み式の取付け部材を使用しての取付けのため、設置の際ビスによる建具のドア本体およびドア上枠の傷が生じなくなる。また、ドアの厚み、材質や強度など設置の条件が緩和されることにより、設置可能となるドアの範囲が広がる。【０００６】  引掛け式のドアクローザ本体取付け部材および、挟み込み式のブラケット取付け部材は、仮付けして位置決めすることが可能となるため、ビスを使用して設置する場合に生じる煩雑な墨だし作業を必要としなくなり、取付け位置の間違いにも対応でき、取付けが簡易かつ確実に行う事ができる。【０００７】  取付けに際して、ドア本体およびドア上枠に直接ビスを揉み込むことがないため、ドアクローザ撤去後もビス跡の穴埋め補修または、建具であるドア本体の取替えを必要としなくなり、現状復帰を条件に明け渡しを必要とする賃貸物件のドアへの設置が可能となる。
【発明を実施するための最良の形態】
【０００８】  以下、本発明の実施の形態を説明する。
（イ）図２に示すようにドア本体（１）の上部に、ドアクローザ本体取付け部材（３）を      引掛ける形で係着し、ドア本体（１）とドアクローザ本体取付け部材（３）を図６      に示す固定ボルト（１０）により締め付けることで定着する。この時、固定ボルト      （１０）は取付け位置の調整が可能なように仮定着とする。
また、図６に示すドアクローザ本体取付け部材（３）のドア本体への係着部（１４      ）の開口は、多様なドアに対応するため開口幅に余裕を持たせ、固定ボルト（１０      ）の締め付けにより定着させる。
（ロ）図２に示すようにドア上枠（２）に、ブラケット取付け部材ａ（４）とブラケット      （７）の取付けられたブラケット取付け部材ｂ（６）を挟み込む形で取付ける、そ      の際ブラケット取付け部材ａ（４）の係止溝（５）にブラケット（７）の下端を挿      入連結し、ドア上枠（２）への取付け位置の幅に合わせた後ブラケット取付け部材      連結ボルト（１１）により連結固定し、固定ボルト（１０）によりドア上枠（２）      の上方より締め付けることで定着する。この時、固定ボルト（１０）は取付け位置      の調整が可能なように仮定着とする。
ブラケット取付け部材ｂ（６）のドア上枠への係着部（１５）開口は、ドアクロー      ザ本体取付け部材（３）と同様に多様なドアに対応するため開口幅に余裕を持たせ      、固定ボルト（１０）の締め付けにより定着させる。また、ブラケット取付け部材      ａ（４）とブラケット取付け部材ｂ（６）は、ブラケット取付け部材ａ（４）の係      止溝（５）をスライドすることでドア上枠（２）の幅に合わせ、ブラケット取付け      部材連結ボルト（１１）の締め付けにより固定する。
（ハ）図２に示すように、ドアクローザ本体取付け部材（３）にドアクローザ本体（８）      を設置し、連結アーム（９）をブラケット（７）の連結アーム連結部（１３）に連      結装着する。
（ニ）図１に示すように前記部品の全てを設置後、ドアの開閉テストの確認調整後、仮定      着の状態にあるドアクローザ本体取付け部材（３）およびブラケット取付け部材ｂ      （６）に設置の固定ボルト（１０）の本締めを行い強固に定着する。
本発明は以上のような構造でこれを使用するときは、ドアクローザ本体（８）に装備    されるドアクローザの調整弁によりドアを閉める速度を調整し使用します。
また、ドア本体（１）の上部に係着する、ドアクローザ本体取付け部材（３）および    、ドア上枠（２）に係着する、ブラケット取付け部材ａ（４）と、ブラケット（７）    の取付けられたブラケット取付け部材ｂ（６）は、ドアクローザ本体（８）と連結ア    ーム（９）の荷重並びに、ドア開閉時に掛かる応力に耐える必要が有るため、強度を    有する亜鉛鍍鉄板、ステンレスまたは、アルミ等の金属を使用することが望ましい。
【図面の簡単な説明】
【０００９】
【図１】本発明の組立て設置状態の斜視図
【図２】本発明の分解斜視図
【図３】本発明の組立て設置状態の正面図
【図４】本発明の組立て設置状態の側面図
【図５】ドアクローザ本体取付け部材正面図
【図６】ドアクローザ本体取付け部材側面図
【図７】ドアクローザ本体取付け部材裏面図
【図８】ブラケット取付け部材およびブラケット正面図
【図９】ブラケット取付け部材およびブラケット側面図
【図１０】ブラケット取付け部材およびブラケット裏面図
【符号の説明】
【００１０】  １  ドア本体
２  ドア上枠
３  ドアクローザ本体取付け部材
４  ブラケット取付け部材ａ
５  係止溝
６  ブラケット取付け部材ｂ
７  ブラケット
８  ドアクローザ本体
９  連結アーム
１０  固定ボルト
１１  ブラケット取付け部材ａ、ｂの連結ボルト
１２  ドアクローザ本体取付け用ネジ穴
１３  連結アーム接続部
１４  ドア本体への係着部
１５  ドア上枠への係着部
【図１】
2010185267.tif 000003
【図２】
2010185267.tif 000004
【図３】
2010185267.tif 000005
【図４】
2010185267.tif 000006
【図５】
2010185267.tif 000007
【図６】
2010185267.tif 000008
【図７】
2010185267.tif 000009
【図８】
2010185267.tif 000010
【図９】
2010185267.tif 000011
【図１０】
2010185267.tif 000012